(57)【要約】【課題】この発明によれば、効率よくはつり作業を進めることができ、しかもはつり対象物が予測以上の壊れ方をしたとき、ハンドブレーカーごとはつり対象物の方向に突き進んでしまっても、手を怪我しないようにしたハンドブレーカーによる建造物の破壊方法を提供する。【解決手段】建造物の破壊に使用されるハンドブレーカーと、壁面ないし床面の適所に設けた係合手段と、前記ハンドブレーカーのハウジングの適宜箇所に一端を連結し、他端を前記係合手段に連結した懸垂帯を備え、前記ハンドブレーカーを、その先端を前記係合手段と所定の間隔をおいて壁面ないし床面に当接しつつ作動させるとともに、前記係合手段を支点としつつ、前記懸垂帯を介してハンドブレーカーの先端に負荷を掛けることにより、テコの原理で壁面ないし床面を容易に破壊できるようにしたことを特徴とするハンドブレーカーによる建造物の破壊方法。【選択図】図１
2013068037.tif 000002
【特許請求の範囲】
【請求項１】
建造物の破壊に使用されるハンドブレーカーと、壁面ないし床面の適所に設けた係合手段と、前記ハンドブレーカーのハウジングの適宜箇所に一端を連結し、他端を前記係合手段に連結した懸垂帯を備え、
前記ハンドブレーカーを、その先端を前記係合手段と所定の間隔をおいて壁面ないし床面に当接しつつ作動させるとともに、前記係合手段を支点としつつ、前記懸垂帯を介してハンドブレーカーの先端に負荷を掛けることにより、テコの原理で壁面ないし床面を容易に破壊できるようにしたことを特徴とするハンドブレーカーによる建造物の破壊方法。
【請求項２】
前記壁面ないし床面の適所に設けた係合手段は、壁面ないし床面に打ち込んだアンカーと、該アンカー頭部のマルカンに取り付けた横棒またはパイプからなり、前記懸垂帯の他端を前記横棒またはパイプに連結するようにしたことを特徴とする請求項１に記載のハンドブレーカーによる建造物の破壊方法。
【請求項３】
前記壁面ないし床面の適所に設けた係合手段は、壁面ないし床面に埋め込んだ長ナットと、該長ナットに取り付けたマルカンボルトと、該マルカンボルトのマルカンに取り付けた横棒またはパイプからなり、前記懸垂帯の他端を前記横棒またはパイプに連結するようにしたことを特徴とする請求項１に記載のハンドブレーカーによる建造物の破壊方法。
【請求項４】
前記壁面ないし床面の適所に設けた係合手段は、壁面ないし床面に沿って組み上げた足場もしくはやぐらと、該足場もしくはやぐらに取り付けたブラケットと、ブラケットに取り付けた横棒またはパイプからなり、前記懸垂帯の他端を前記横棒またはパイプに連結するようにしたことを特徴とする請求項１に記載のハンドブレーカーによる建造物の破壊方法。
【請求項５】
前記壁面ないし床面の適所に設けた係合手段は、壁面ないし床面にはつり作業によって現出させた鉄筋からなり、前記懸垂帯の他端を前記鉄筋に連結するようにしたことを特徴とする請求項１に記載のハンドブレーカーによる建造物の破壊方法。
【請求項６】
前記懸垂帯は、チェーンもしくはロープからなることを特徴とする請求項１に記載のハンドブレーカーによる建造物の破壊方法。
【請求項７】
前記懸垂帯は、エア式バランサー、電動式バランサー、スプリング式バランサーを含むバランサーからなることを特徴とする請求項１に記載のハンドブレーカーによる建造物の破壊方法。
【発明の詳細な説明】
【技術分野】
【０００１】
本発明は、振動付与機構が内蔵された本体に、握り部が形成されたハンドルを設け、前記本体の下端部には前記振動付与機構により駆動されるタガネを装着したハンドブレーカーを用い、効率よく建造物の壁面や床面を破壊することができるハンドブレーカーによる建造物の破壊方法に関するものである。
【背景技術】
【０００２】
建物の解体工事におけるコンクリートのはつり作業には、振動付与機構が内蔵された本体に、握り部が形成されたハンドルを設け、前記本体の下端部には前記振動付与機構により駆動されるタガネを装着したハンドブレーカーが使用されることが多い。
この種のハンドブレーカーは、約１０〜５０ｋｇ程度の重量があり、自重を利用してはつり作業を行うように、つまりハンドブレーカーの重量をはつり対象物に預けた状態で、タガネを振動させるように構成されているものである。
【先行技術文献】
【特許文献】
【０００３】
【特許文献１】特にありません
【発明の概要】
【発明が解決しようとする課題】
【０００４】
上述の通り、この種のハンドブレーカーは、その重量をはつり対象物に預けた状態で使用されるものであり、はつり作業中、作業員はハンドブレーカーが倒れないようにハンドルの握り部を軽く握っているだけである。
このため、垂直な壁面のようにその重量をはつり対象物にうまく掛けることが難しいような場合においては、該垂直な壁面においてはなかなかはつり作業が順調に進みにくいという問題があった。
【０００５】
また、はつり対象物が予測以上の壊れ方をしたとき、作業員がハンドブレーカーの重量を支えきれず、ハンドルの握り部を握持した手がハンドブレーカーごとにはつり対象物の方向に突き進んでしまい、はつり対象物との間に手を挟み込んでしまうことがあった。
【０００６】
上記の従来欠点に鑑み、本発明は、垂直な壁面のようにブレーカーの重量をはつり対象物にうまく掛けることが難しいような場合でも効率よくはつり作業を進めることができ、しかもはつり対象物が予測以上の壊れ方をしたとき、ハンドブレーカーの重量を支えきれずに、ハンドブレーカーごとはつり対象物の方向に突き進んでしまっても、手を怪我しないようにしたハンドブレーカーによる建造物の破壊方法を提供しようとするものである。
【課題を解決するための手段】
【０００７】
上記の目的を達成するために、本発明のハンドブレーカーによる建造物の破壊方法は、建造物の破壊に使用されるハンドブレーカーと、壁面ないし床面の適所に設けた係合手段と、前記ハンドブレーカーのハウジングの適宜箇所に一端を連結し、他端を前記係合手段に連結した懸垂帯を備え、
前記ハンドブレーカーを、その先端を前記係合手段と所定の間隔をおいて壁面ないし床面に当接しつつ作動させるとともに、前記係合手段を支点としつつ、前記懸垂帯を介してハンドブレーカーの先端に負荷を掛けることにより、テコの原理で壁面ないし床面を容易に破壊できるようにしたことを特徴とするものである。
【０００８】
本発明のハンドブレーカーによる建造物の破壊方法は、前記壁面ないし床面の適所に設けた係合手段は、壁面ないし床面に打ち込んだアンカーと、該アンカー頭部のマルカンに取り付けた横棒またはパイプからなり、前記懸垂帯の他端を前記横棒またはパイプに連結するようにしたことをも特徴とするものである。
【０００９】
本発明のハンドブレーカーによる建造物の破壊方法は、前記壁面ないし床面の適所に設けた係合手段は、壁面ないし床面に埋め込んだ長ナットと、該長ナットに取り付けたマルカンボルトと、該マルカンボルトのマルカンに取り付けた横棒またはパイプからなり、前記懸垂帯の他端を前記横棒またはパイプに連結するようにしたことをも特徴とするものである。
【００１０】
本発明のハンドブレーカーによる建造物の破壊方法は、前記壁面ないし床面の適所に設けた係合手段は、壁面ないし床面に沿って組み上げた足場もしくはやぐらと、該足場もしくはやぐらに取り付けたブラケットと、ブラケットに取り付けた横棒またはパイプからなり、前記懸垂帯の他端を前記横棒またはパイプに連結するようにしたことをも特徴とするものである。
【００１１】
本発明のハンドブレーカーによる建造物の破壊方法は、前記壁面ないし床面の適所に設けた係合手段は、壁面ないし床面にはつり作業によって現出させた鉄筋からなり、前記懸垂帯の他端を前記鉄筋に連結するようにしたことをも特徴とするものである。
【００１２】
本発明のハンドブレーカーによる建造物の破壊方法は、前記懸垂帯は、チェーンもしくはロープからなることをも特徴とするものである。
【００１３】
本発明のハンドブレーカーによる建造物の破壊方法は、前記懸垂帯は、エア式バランサー、電動式バランサー、スプリング式バランサーを含むバランサーからなることをも特徴とするものである。
【発明の効果】
【００１４】
上記の構成によれば、垂直な壁面のようにその重量をはつり対象物にうまく掛けることが難しいような場合であっても、非常に効率よくはつり作業を進めることができるようになった。
しかも、ハンドブレーカーの重量をはつり対象物に預けた状態ではつり作業を行っている際、はつり対象物が予測しない壊れ方をしてハンドルを握った手がハンドブレーカーごとはつり対象物の方向に突き進んでしまっても、ハンドブレーカーは吊り上げた状態となってはつり対象物から、それ以上の進行を阻止しやすいので、手がハンドルとはつり対象物との間に挟み込まれることがない。
【図面の簡単な説明】
【００１５】
【図１】本発明のハンドブレーカーによる建造物の破壊方法の１実施例を示す概略図である。
【図２】ハンドブレーカーを吊り下げる懸垂帯の第１の例の概略図である。
【図３】ハンドブレーカーを吊り下げる懸垂帯の第２の例の概略図である。
【図４】ハンドブレーカーを吊り下げる懸垂帯の第３の例の概略図である。
【図５】本発明のハンドブレーカーによる建造物の破壊方法の第２実施例を示す概略図である。
【図６】本発明のハンドブレーカーによる建造物の破壊方法の第３実施例を示す概略図である。
【図７】本発明のハンドブレーカーによる建造物の破壊方法の第４実施例を示す概略図である。
【図８】本発明のハンドブレーカーによる建造物の破壊方法の第５実施例を示す概略図である。
【発明を実施するための形態】
【００１６】
以下、本発明のハンドブレーカーによる建造物の破壊方法の実施の形態を図面に基いて詳細に説明する。
本発明の第１実施例を示す図１において、Ａはハンドブレーカー、１１はハンドブレーカーのハウジングで、振動付与機構（図示せず）が内蔵されている。
前記ハウジング１１の上端部には左右両端側に握り部１２，１２を有するハンドル１３が設けられており、下端部には前記振動付与機構により駆動されるタガネ１４が着脱交換自在に装着されている。
そして、ハンドブレーカーＡの重量をはつり対象物に預けた状態で、両手で握り部１２，１２を握り、かつ、片側の握り部１２にある操作レバー１５を操作することにより、コンプレッサー（図示せず）より送られる圧搾空気が前記振動付与機構に供給され、前記タガネ１４がその軸芯方向に振動して、はつり対象物をはつるように構成されている。
【００１７】
本実施例のハンドブレーカーによる建造物の破壊方法においては、建造物の破壊に使用される前記ハンドブレーカーＡと、壁面ないし床面の適所に設けた係合手段２１と、前記ハンドブレーカーＡのハウジング１１の適宜箇所に一端を連結し、他端を前記係合手段２１に連結した懸垂帯３１を備え、
前記ハンドブレーカーＡを、その先端を前記係合手段２１と所定の間隔をおいて壁面ないし床面に当接しつつ作動させるとともに、前記係合手段２１を支点としつつ、前記懸垂帯３１を介してハンドブレーカーＡの先端に負荷を掛けることにより、テコの原理で壁面ないし床面を容易に破壊できるようにしたことを特徴としている。
【００１８】
本実施例のハンドブレーカーによる建造物の破壊方法において、前記壁面ないし床面の適所に設けた係合手段２１は、壁面ないし床面に打ち込んだアンカー２２と、該アンカー頭部のマルカン２４に取り付けた横棒またはパイプ２３からなり、前記懸垂帯３１の他端を前記横棒またはパイプ２３に連結するようになっている。
【００１９】
本実施例のハンドブレーカーによる建造物の破壊方法において、前記懸垂帯３１は、チェーン３１ａもしくはロープ３１ｂからなることをも特徴としている。
例えば、図２に示すように、壁面ないし床面にアンカー２２を打ち込み、該アンカー頭部のマルカン２４に横棒またはパイプ２３を取り付け、該横棒またはパイプ２３にチェーン３１ａを掛け回す。
また図３に示すように、壁面ないし床面にアンカー２２を打ち込み、該アンカー頭部のマルカン２４に横棒またはパイプ２３を取り付け、該横棒またはパイプ２３にロープ３１ｂを掛け回す。
このようにして前記係合手段２１、特にアンカー２２を支点としつつ、前記チェーン３１ａもしくはロープ３１ｂからなる懸垂帯３１を介してハンドブレーカーＡの先端に負荷を掛けることにより、テコの原理で壁面ないし床面を容易に破壊することができる。
【００２０】
本実施例のハンドブレーカーによる建造物の破壊方法において、前記懸垂帯３１は、図４に示すような、エア式バランサー、電動式バランサー、スプリング式バランサーを含むバランサー３１ｃとすることもできる。
このようなバランサー３１ｃは、重量物を容易に持ち上げ、ホイストとしての昇降機能とバランス機能を発揮できる機器であり、作業者は前記ハンドブレーカーＡの重さを感じさせることなくはつり作業等の操作を行うことができる。
【００２１】
本発明のハンドブレーカーによる建造物の破壊方法の第２実施例を示す図５において、前記壁面ないし床面の適所に設けた係合手段４１は、壁面ないし床面に埋め込んだ長ナット４２と、該長ナット４２に取り付けたマルカンボルト４３と、該マルカンボルト４３のマルカン４４に取り付けた横棒またはパイプ４５からなり、前記ハンドブレーカーＡに連結した前記懸垂帯３１の他端を前記横棒またはパイプ４５に連結するようにしたものである。
【００２２】
本発明のハンドブレーカーによる建造物の破壊方法の第３実施例を示す図６において、前記壁面ないし床面の適所に設けた係合手段５１は、壁面ないし床面に沿って組み上げたパイプ製のやぐら５２と、該やぐら５２に取り付けたブラケット５３と、該ブラケット５３に取り付けた横棒またはパイプ５４からなり、前記ハンドブレーカーＡに連結した前記懸垂帯３１の他端を前記横棒またはパイプ５４に連結するようにしたものである。
【００２３】
本発明のハンドブレーカーによる建造物の破壊方法の第４実施例を示す図７において、前記壁面ないし床面の適所に設けた係合手段６１は、壁面ないし床面に沿って組み上げた足場６２と、該足場６２に取り付けたブラケット６３と、該ブラケット６３に取り付けた横棒またはパイプ６４からなり、前記ハンドブレーカーＡに連結した前記懸垂帯３１の他端を前記横棒またはパイプ６４に連結するようにしたものである。
【００２４】
本発明のハンドブレーカーによる建造物の破壊方法の第５実施例を示す図８において、前記壁面ないし床面の適所に設けた係合手段７１は、壁面ないし床面にはつり作業によって現出させた鉄筋７２からなり、前記ハンドブレーカーＡに連結した前記懸垂帯３１の他端を前記鉄筋７２に連結するようにしたものである。
【００２５】
上記いずれの構成においても、垂直な壁面のようにその重量をはつり対象物にうまく掛けることが難しいような場合でも、テコの原理で非常に効率よくはつり作業を進めることができるようになった。
しかも、ハンドブレーカーＡの重量をはつり対象物に預けた状態ではつり作業を行っている際、はつり対象物が予測しない壊れ方をしてハンドル１３を握った手がハンドブレーカーＡごとはつり対象物の方向に突き進んでしまっても、ハンドブレーカーＡは吊り上げた状態となってはつり対象物から、それ以上の進行を阻止しやすいので、手がハンドル１３とはつり対象物との間に挟み込まれることがない。
【産業上の利用可能性】
【００２６】
この発明のハンドブレーカーによる建造物の破壊方法は、建物の解体工事における壁面あるいは床面のコンクリートのはつり作業のみならず、この種のハンドブレーカーの使用に適した種々の現場、あるいは各種の破壊作業にも好適に適用できることはもちろんである。
【符号の説明】
【００２７】
Ａ  ハンドブレーカー
１１  ハウジング
１２  握り部
１３  ハンドル
１４  タガネ
１５  操作レバー
２１  係合手段
２２  アンカー
２３  横棒またはパイプ
２４  マルカン
３１  懸垂帯
３１ａ  チェーン
３１ｂ  ロープ
３１ｃ  バランサー
４１  係合手段
４２  長ナット
４３  マルカンボルト
４４  マルカン
４５  横棒またはパイプ
５１  係合手段
５２  やぐら
５３  ブラケット
５４  横棒またはパイプ
６１  係合手段
６２  足場
６３  ブラケット
６４  横棒またはパイプ
７１  係合手段
７２  鉄筋
【図１】
2013068037.tif 000003
【図２】
2013068037.tif 000004
【図３】
2013068037.tif 000005
【図４】
2013068037.tif 000006
【図５】
2013068037.tif 000007
【図６】
2013068037.tif 000008
【図７】
2013068037.tif 000009
【図８】
2013068037.tif 000010